【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
穴を有する工作物と使用する、長手軸線を有する拡大可能のコレット本体であって、
円形の開口を形成する第１の端と、
該第１の端に隣接する第１の壁部であって、内面、外面、漸進する半径プロファイル、及び、前記第１の端から長手方向に伸びる少なくとも２つの第２のスロットを有し、それにより末端を前記第１の端に有する少なくとも２つのフィンガーを形成する第１の壁部と、
円形の開口を形成する第２の端であってその箇所又はそれに最も近い箇所に最大外径寸法を有する頭部を含む第２の端と、
該第２の端に隣接する第２の壁部であって、内面、外面、及び漸進する半径プロファイルを有する第２の壁部と、
前記第１の壁部の外面から突出する円形の突出部であって、リーディング面及びトレーリング面を有する突出部と、
前記コレット本体の回転を防止すべく補助構造体と係合するためのコレット本体回転防止手段であって、前記補助構造体は、第２の側の第２の開口に伸びる第１の開口を第１の側に有すると共に、変形なしに、前記第１の開口を経て前記コレット本体を置き換え可能に受け入れるように適合された内面を有する、コレット本体回転防止手段とを含み、
前記漸進する半径プロファイルは、前記円形突出部が前記工作物の穴の内径寸法と同じ又はそれより小さい最大外径寸法を有するように、少なくとも２つのフィンガーの収縮により収斂する、コレット本体。
【請求項２】
当該コレット本体は、さらに、前記工作物から前記コレット本体の前記第１の端からの２方向脱出を防止するコレット本体変位防止手段を含み、前記補助構造体の第１の開口はこれをすぎたコレット本体の完全変位を許すのに十分な内径寸法を有し、前記第２の開口はこれをすぎたコレット本体の完全な変位を許すに不十分な最小内径寸法有する、請求項１に記載のコレット本体。
【請求項３】
前記コレット本体変位防止手段は頭部を有し、該頭部の最大外径寸法は前記補助構造体の第２の開口の最小内径寸法より大きい、請求項２に記載のコレット本体。
【請求項４】
前記補助構造体はスリーブ挿入物である、請求項１，２又は３に記載のコレット本体。
【請求項５】
前記補助構造体は工作物である、請求項１から４のいずれか１項に記載のコレット本体。
【請求項６】
さらに、前記工作物からの前記コレット本体の２方向逸脱を防止するコレット本体変位防止手段を含み、前記工作物は、一端において前記コレット本体の完全な通過を許すに十分な内径寸法を有する穴であって他の箇所において前記コレット本体の完全な通過を許すには不十分な穴を有する、請求項１に記載のコレット本体。
【請求項７】
前記コレット本体変位防止手段は頭部を含み、該頭部の最大外径寸法は前記工作物の穴の最小内径寸法より大きい、請求項６に記載のコレット本体。
【請求項８】
前記補助構造体はスリーブ挿入物である、請求項６又は７に記載のコレット本体。
【請求項９】
さらに、前記工作物からの前記コレット本体の２方向逸脱を防止するコレット本体変位防止手段を含み、スリーブ挿入物は、一端においてコレット本体の完全な変位を許すに十分な内径寸法を有する穴であって他の箇所において前記コレット本体の完全な通過を許すには不十分な穴を有する、請求項１に記載のコレット本体。
【請求項１０】
さらに、スタッド頭部とスタッド本体とを含むスタッドを含み、前記スタッド本体は、前記コレット本体の第２の端の円形開口を通って適合するように寸法付けられている、請求項１に記載のコレット本体。
【請求項１１】
前記補助構造体の内面は、前記コレット本体の頭部に対し小さい断面形状を有する、請求項１に記載のコレット本体。
【請求項１２】
前記第１の壁部は前記円形部において一定の断面厚さを有している、請求項１に記載のコレット本体。
【請求項１３】
前記回転防止手段は、第２の端又はその付近にあって前記第２の壁部の最大外径寸法と等しい又はそれより大きい最大外径寸法を有する、外側に伸びるフレア状部を含む、請求項１に記載のコレット本体。
【請求項１４】
前記フレア状部は、複数のタブを形成するように分割されている、請求項１３に記載のコレット本体。
【請求項１５】
前記回転防止手段は、前記第２の端又はその付近にあって前記第２の壁部の最大外径寸法より大きい最大外径寸法を有する切り子部を含む、請求項１に記載のコレット本体。
【請求項１６】
前記回転防止手段は、前記突出部のトレーリング面と前記第２の端との間に配置されて当該コレット本体の周りを伸びるロックワッシャーを含む、請求項１に記載のコレット本体。
【請求項１７】
前記回転防止手段は、当該コレット本体の外面の少なくとも一部にあって前記円形突出部のトレーリング面から前記第２の端に向けて伸びる少なくとも１つの平面を含む、請求項１に記載のコレット本体。
【請求項１８】
穴を有する工作物と使用する、長手軸線を有するコレット本体と、スタッドヘッド及びスタッド本体を備えるスタッドとを含み、
前記コレット本体は、
円形の開口を形成する第１の端と、
該第１の端に隣接する第１の壁部であって、内面、外面、及び漸進する半径プロファイルを有し、また前記第１の端から長手方向に伸びる少なくとも２つの第２のスロットを有し、それにより末端を前記第１の端に有する少なくとも２つのフィンガーを形成する第１の壁部と、
円形の開口を形成する第２の端であってその箇所又はそれに最も近い箇所に最大外径寸法を有する頭部を含む第２の端と、
該第２の端に隣接する第２の壁部であって内面及び外面を有する、第２の壁部と、
前記第１の壁部から突出する円形の突出部であってリーディング面及びトレーリング面を有する突出部と、
前記コレット本体の回転を防止すべく補助構造体と係合するコレット本体回転防止手段であって、前記補助構造体は、第２の側の第２の開口に伸びる第１の開口を第１の側に有すると共に、変形なしに、前記第１の開口を経て前記コレット本体を置き換え可能に受け入れるように適合された内面を有する、コレット本体回転防止手段とを含み
前記漸進する半径プロファイルは、前記円形突出部が前記工作物の穴の内径寸法と同じ又はそれより小さい最大外径寸法を有するように、少なくとも２つのフィンガーの収縮により収斂し、
前記スタッド本体はスタッド頭部とスタッド本体とを含み、該スタッド本体は前記第２の端の前記円形開口を経て適合されるように寸法付けられている、拡大可能のコレットアンカー装置
【請求項１９】
前記工作物は内面を備えるシリンダを有するスリーブ挿入物であり、該シリンダは第１及び第２の端を含み、該第２の端はこれから半径方向外方へ伸びるフランジ部を含む、請求項１８に記載の装置。
【請求項２０】
前記工作物は、さらに、ベースと、該ベースと直交するように向けられたシリンダであって前記ベースから伸びてリム部に終了するシリンダとを有するスリーブ挿入物とを含み、前記シリンダは内面を有する、請求項１８に記載の装置。
【請求項２１】
挿入スリーブ挿入物は、さらに、前記コレット本体回転防止手段に補足的な少なくとも１つの縦の特徴を含み、また直線状の凹所、直線状の凸部又は切り子の１つである、請求項１９に記載の装置。
【請求項２２】
前記スリーブ挿入物は、さらに、前記コレット本体回転防止手段に補足的な少なくとも１つの縦の特徴を含み、また直線状の凹所、直線状の凸部及び切り子の１つである、請求項２０に記載の装置。
【請求項２３】
前記コレット本体回転防止手段は、前記コレット本体から半径方向に伸びる少なくとも１つの突出部を含む、請求項１８に記載の装置。
【請求項２４】
前記コレット本体回転防止手段は、前記コレット本体により形成された少なくとも１つの外面特徴を含み、前記特徴は、溝、ギャップ及び直線で囲まれた面の１つである、請求項１８に記載の装置。
【請求項２５】
前記リム部は、内向きに伸びるリップ部を含む、請求項２０に記載の装置。